(57)【特許請求の範囲】
【請求項１】
タイマと、
ディスプレイ表示輝度を、少なくとも第１のモード、または前記第１のモードより輝度の低い第２のモードのいずれかに設定する設定手段と、
前記設定手段により前記ディスプレイが前記第２のモードに設定されたとき、前記ディスプレイの表示画面中に表示される映像部分のうち、予め定義された高精細の表示を必要としないシーンを表示する領域を間引いて表示する表示制御手段と、を備え、
前記表示制御手段は、表示画面を間引いて表示するとき、前回最後に表示された間引きパターンの間引き位置を反転させた間引きパターンで表示し、
前記設定手段は、前記タイマによって、前記第１のモードに設定されているときの無操作状態における所定時間の経過が通知された場合に前記第２のモードに設定することを特徴とする携帯電話機。
【請求項２】
前記表示制御手段は、前記設定手段により前記ディスプレイが前記第２のモードに設定されている間、所定時間の経過ごとに第１の間引きパターンまたは前記第１の間引きパターンの間引き位置を反転させた第２の間引きパターンを交互に切り替えて表示することを特徴とする請求項１に記載の携帯電話機。
【請求項３】
前記ディスプレイに所定のアイコンを表示する表示手段を備え、
前記表示制御手段は、前記設定手段により前記ディスプレイが前記第２のモードに設定され、前記表示手段により前記ディスプレイに表示される前記所定のアイコンの表示位置が移動されてからの前記ディスプレイの発光時間が所定時間を超えていた場合に、前記所定のアイコンの表示位置を移動させることを特徴とする請求項１又は２に記載の携帯電話機。
【請求項４】
前記表示制御手段は、前記表示手段により前記ディスプレイに表示された前記所定のアイコンの輝度を反転させて表示し、
更に前記表示制御手段は、前記所定のアイコンの輝度が反転されてからの前記ディスプレイの発光時間が所定時間を超えていた場合に、前記所定のアイコンの輝度を反転させて表示することを特徴とする請求項３に記載の携帯電話機。
【請求項５】
前記表示制御手段は、前記設定手段により前記ディスプレイが第２のモードに設定されたことに基づいて、前記所定のアイコンの輝度を反転させることを特徴とする請求項４に記載の携帯電話機。
【発明の詳細な説明】
【技術分野】
【０００１】
本発明は、有機ＥＬディスプレイを備えるとともに、無操作によるタイムアウトでディスプレイを微灯モードに設定する際、表示画面を間引きモードに設定する携帯電話機に関する。
【背景技術】
【０００２】
近年、携帯電話機の機能性が向上し、ユーザは携帯電話機を用いてＷｅｂ閲覧やゲーム、カメラ等の様々な機能を使用するようになってきた。これに伴い携帯電話機においてディスプレイの表示内容も増え、より明るくて高画質な画面が表示できるようになった。しかしながら一方で、ディスプレイの表示にかかる消費電力が大きくなってしまうという問題があった。
【０００３】
そこで、消費電力を抑制しつつ、かつ、表示の自由度を向上させることが可能な画像表示装置が提案されている（特許文献１参照）。この画像表示装置は、省電力モード時においては市松模様状およびライン状等の「間引き表示」で画像表示を行うことによって、省電力モード時における使用画素数が非省電力モード時における使用画素数よりも少なくなるように制御するものである。
【特許文献１】特開２００４−１２６５５号公報
【発明の開示】
【発明が解決しようとする課題】
【０００４】
ディスプレイを間引きモードで表示することによって消費電力を軽減する方法では、ディスプレイとして例えば有機ＥＬディスプレイが使用された場合に、この間引きモードにおいて間引かれた素子については高寿命化するが、間引かれなかった素子については劣化が進んでしまうという問題があった。
【０００５】
本発明は、上記課題を鑑みなされてものであり、有機ＥＬディスプレイを備え、消費電力を抑制しつつ、この有機ＥＬディスプレイにおける特定素子の劣化を防止し、かつ、表示の自由度を向上させることが可能な携帯電話機を提供することを目的とする。また、表示画面が間引きモードに設定されたときに、ユーザが違和感なく操作できる携帯電話機を提供することを目的とする。
【課題を解決するための手段】
【０００６】
上記課題を解決するために、開示の一態様における携帯電話機は、タイマと、ディスプレイ表示輝度を、少なくとも第１のモード、または前記第１のモードより輝度の低い第２のモードのいずれかに設定する設定手段と、前記設定手段により前記ディスプレイが前記第２のモードに設定されたとき、前記ディスプレイの表示画面中に表示される映像部分のうち、予め定義された高精細の表示を必要としないシーンを表示する領域を間引いて表示する表示制御手段と、を備え、前記表示制御手段は、表示画面を間引いて表示するとき、前回最後に表示された間引きパターンの間引き位置を反転させた間引きパターンで表示し、前記設定手段は、前記タイマによって、前記第１のモードに設定されているときの無操作状態における所定時間の経過が通知された場合に前記第２のモードに設定することを特徴とする。
【発明の効果】
【０００７】
本発明に係る携帯電話機によると、有機ＥＬディスプレイを備え、この有機ＥＬディスプレイの各素子の点灯時間を均等にすることにより、消費電力を抑制しつつ、この有機ＥＬディスプレイにおける特定素子の劣化を防止し、かつ、表示の自由度を向上させることが可能となる。また、本発明にかかる携帯電話機によると、表示画面が間引きモードに設定されたときに、ユーザが違和感なく操作することが可能となる。
【発明を実施するための最良の形態】
【０００８】
〔第１実施形態〕
本発明に係る携帯電話機の第１実施形態について、図１乃至図１０を参照しながら説明する。第１実施形態の携帯電話機として、複数の筐体が開閉自在に結合されてなるクラムシェル型の携帯電話機１を例に挙げて説明する。図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【０００９】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１０】
上筐体１０の内面（下筐体１１に対面する側の面）には、文字や画像等を含んだ表示情報を表示するためのディスプレイ１３が設けられている。ディスプレイ１３は、例えば有機ＥＬ（Ｅｌｅｃｔｒｏ−Ｌｕｍｉｎｅｓｃｅｎｃｅ）パネルで形成されている。有機ＥＬパネルは、有機化合物中に注入された電子と正孔の再結合によって生じた励起子（エキシトン）によって発光する現象を利用した表示パネルである。また上筐体１０の内面には、音声を出力するスピーカ１４が設けられている。これらのディスプレイ１３及びスピーカ１４は、携帯電話機１が閉じた状態のときには、下筐体１１により覆われていて外部に露出していないが、上筐体１０を下筐体１１に対して回転させて開いた状態に変形させたときには外部に露出される。
【００１１】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー等からなる操作キー１５が設けられている。また下筐体１１の内面には、音声を集音するためのマイクロフォン１６が設けられている。これらの操作キー１５及びマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１２】
次に、携帯電話機１の機能について、図４に示す機能ブロック図を用いて説明する。携帯電話機１は、図４に示すように、主制御部２０、電源回路部２１、操作入力制御部２２、表示制御部２３、音声制御部２４、通信制御部２５、記憶部２６、及びタイマ部２７がバスによって相互に通信可能に接続されて構成されている。
【００１３】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、操作キー１５の入力制御処理や、その他の様々な演算処理や制御処理等を行う。電源回路部２１は、例えばユーザによる操作キー１５を介した入力に基づいて電源のＯＮ／ＯＦＦ状態を切り替え、電源がオン状態の場合に電力供給源（バッテリ等）から各部に対して電力を供給して、携帯電話機１を動作可能にする。また、電源回路部２１は電池残量を示す情報を主制御部２０に対して送信するとともに、主制御部２０は、この情報に基づいて、電池残量を示すアイコンをディスプレイ１３に表示させる。
【００１４】
操作入力制御部２２は操作キー１５に対する入力インタフェースを備えている。この操作入力制御部２２は、操作キー１５の押下を検出すると、その押下された操作キー１５を示す信号を生成して主制御部２０に伝送する。表示制御部２３はディスプレイ１３に対する表示インタフェースを備え、主制御部２０の制御に基づいて、文書や画像等を含んだ表示情報をディスプレイ１３に表示する。また表示制御部２３は、ディスプレイ１３が発光している間の累積時間を計時している。
【００１５】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００１６】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００１７】
また通信制御部２５は、携帯電話機１の電波状態を示す情報を主制御部２０に送信するとともに、主制御部２０は、この情報に基づいて、電波状態を示すアイコンをディスプレイ１３に表示させる。
【００１８】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する明るさ調整処理を行う際の処理プログラムは、例えばＲＯＭに記憶されているものとする。
【００１９】
タイマ部２７は、主制御部２０からタイマを開始するための信号を受信すると、経過時間を計時し、所定時間が経過したことに基づいて、タイマが終了したことを示す信号を主制御部２０に送信する。この際の所定時間は、例えば予め設定されてタイマ部２７に記憶されていても良く、または、主制御部２０からの信号が所定時間に関する情報を含んでいても良い。
【００２０】
携帯電話機１は、ディスプレイ１３として、画面を高輝度に表示することができる有機ＥＬディスプレイを用いている。しかしながら一方で、有機ＥＬ素子は電圧印加による発光により徐々に輝度の低下を起こすため、長時間使用された有機ＥＬディスプレイには、輝度が劣化した素子により「焼き付き」と呼ばれる現象が起こってしまうという欠点がある。焼き付きは、長時間発光した素子と、その周囲を構成する発光素子との輝度差が拡大した結果として生じる現象である。
【００２１】
また携帯電話機１では、ディスプレイ１３の省電力化、及びディスプレイ１３の劣化防止のために、ユーザが一定時間操作をしなかった場合に、最も輝度の高い全灯モードから全灯モードより輝度の低い微灯モードに、さらに微灯モードにおいてユーザが一定時間操作しなかった場合は、微灯モードから消灯モードに移行するように設計されている。そこで、第１実施形態の携帯電話機１は、微灯モードに設定されている間、表示画面の間引きを行うことで、更なる省電力化を図るとともに、ディスプレイの焼き付きや劣化を防止している。
【００２２】
図４に、ディスプレイ１３に表示されている通常の画面を示す。また、図５に表示画面を格子状に間引いた画面、図６に表示画面を横ライン状に間引いた画面、図７に表示画面を縦ライン状に間引いた画面を示す。このように、ディスプレイ１３において高画質な画像を表示する必要がない場合（例えばディスプレイ１３が微灯モードに設定されている場合）等に、携帯電話機１は、ディスプレイ１３の表示画面を、表示内容をユーザが確認できる程度に間引いて表示する表示制御処理を行う。（なお、図５乃至図７において、わかりやすいように複数画素単位、あるいは複数ライン単位の間引きを行っているが、実際は１画素単位、あるいは１ライン単位の間引きでもよい。）
また、表示画面における特定画素を間引いて表示することで表示に使用する画素を減らすことができるが、常に同じ画素を間引いて表示すると、毎回点灯している画素と毎回点灯していない画素との間で寿命に差が生じてしまう。そこで、間引きのパターン（間引く素子と間引かない素子との配置パターン）を微灯モード移行毎に入れ替えるようにすることにより、ディスプレイ１３上の各画素が均等に間引かれることとなり、各画素の寿命を均等に保つことができる。
【００２３】
第１実施形態の携帯電話機１は、ディスプレイ１３を微灯モードに設定する際、ディスプレイ１３の表示画面を間引いて表示する表示制御処理を行う。第１実施形態の携帯電話機１が、この表示制御処理を行う手順について、図８に示すフローチャートに基づいて説明する。なお、図５に示すような格子状に間引いた画面を表示する例について説明する。以下、例えば「ステップＳ１０１」を「Ｓ１０１」のように、「ステップ」の語句を省略して説明する。
【００２４】
携帯電話機１は、ディスプレイ１３が全灯モードのときに、ユーザが所定時間（例えば１０秒）操作を行わないと、タイムアウトして、ディスプレイ１３が全灯モードから微灯モードに切り替わるように設計されている。そこで主制御部２０は、無操作によりタイムアウトしたか否かを判断する（Ｓ１０１）。無操作によりタイムアウトしていない場合（Ｓ１０１のＮｏ）は、主制御部２０はそのまま待機する。無操作によりタイムアウトした場合（Ｓ１０１のＹｅｓ）は、主制御部２０は、携帯電話機１のディスプレイ１３を微灯モードに設定する（Ｓ１０３）。
【００２５】
携帯電話機１のディスプレイ１３が全灯モードから微灯モードに切り替わるときには、ディスプレイ１３の表示画面が暗くなるため、ディスプレイ１３において高画質な表示を行う必要性が低い。よって、ディスプレイ１３が微灯モードに設定されているときには、ディスプレイ１３における表示画面を間引いて表示する。
【００２６】
主制御部２０は、前回の間引きパターンがパターン１であるかパターン２であるか否かを判断する（Ｓ１０５）。すなわち、例えば各々の間引きパターンにはパターン１とパターン２の２種類のパターンが用意されていて、パターン２は、パターン１の間引き位置を反転させたパターン（パターン１において点灯させた部分を消灯するとともに消灯していた部分を点灯させたパターン）である。例えば、図９（Ａ）に示す表示画面における間引きパターンがパターン１であった場合、図９（Ｂ）に示す表示画面の間引きパターンがパターン２である。
【００２７】
前回の間引きパターンがパターン１であった場合（Ｓ１０５のＹｅｓ）は、主制御部２０は間引きパターンをパターン２に設定して間引いて表示する（Ｓ１０７）。また、前回の間引きパターンがパターン２であった場合（Ｓ１０５のＮｏ）は、主制御部２０は間引きパターンをパターン１に設定して間引いて表示する（Ｓ１０９）。
【００２８】
このようにして携帯電話機１は、ディスプレイ１３として有機ＥＬディスプレイを備えるとともに、ディスプレイ１３が全灯モードから微灯モードに移行する際、ディスプレイ１３に特定画素を間引いた表示画面を表示するが、このとき、微灯モードに移行するごとに間引きパターンを反転させることにより、ディスプレイ１３の特定画素のみが劣化してしまうことを防止する。
【００２９】
また携帯電話機１は、ディスプレイ１３を微灯モードに設定する際、ディスプレイ１３において間引いた表示画面を表示した後、一定時間毎にパターン１、パターン２の間引きパターンを交互に切り替えるようにしても良い。このときの表示制御処理について、図１０に示すフローチャートに基づいて説明する。
【００３０】
主制御部２０は、ステップＳ１０１と同様に、無操作によりタイムアウトしたか否かを判断する（Ｓ２０１）。無操作によりタイムアウトしていない場合（Ｓ２０１のＮｏ）は、主制御部２０はそのまま待機する。無操作によりタイムアウトした場合（Ｓ２０１のＹｅｓ）は、主制御部２０は、携帯電話機１のディスプレイ１３を微灯モードに設定する（Ｓ２０３）。
【００３１】
携帯電話機１のディスプレイ１３が微灯モードに設定されている間は、ディスプレイ１３の表示画面が暗く表示されているため、ディスプレイ１３において高画質な表示を行う必要性が低い上、この間に間引きのパターンが切り替わってもユーザが違和感を感じる可能性が低い。よって、ディスプレイ１３が微灯モードに設定されているときには、ディスプレイ１３における表示画面を間引いて表示するとともに、所定時間ごとに間引きパターンを切り替えて表示する。
【００３２】
主制御部２０は、間引きパターンを切り替えるための間引きパターン切り替えタイマを起動する（Ｓ２０５）。すなわち、主制御部２０は、タイマを開始するための信号をタイマ部２７に送信する。ディスプレイ１３が微灯モードに設定されている間、このタイマに基づいて、間引きパターンの切り替えが行われる。
【００３３】
主制御部２０は、前回の間引きパターンがパターン２であるか否かを判断する（Ｓ２０７）。前回の間引きパターンが、図９（Ａ）に示すようなパターン１であった場合（Ｓ２０７のＮｏ）は、主制御部２０はディスプレイ１３の間引きパターンをパターン１に設定して間引いて表示する（Ｓ２０９）。また、前回の間引きパターンがパターン１であった場合（Ｓ２０７のＹｅｓ）は、主制御部２０はディスプレイ１３の間引きパターンをパターン２に設定して間引いて表示する（Ｓ２１１）。
【００３４】
主制御部２０は、ディスプレイ１３の微灯モードが継続されるか否かを判断する（Ｓ２１３）。ディスプレイ１３の微灯モードは、例えばユーザが携帯電話機１の操作を行って全灯モードに移行したり、ディスプレイ１３が微灯モードになってからユーザが携帯電話機１を操作しない状態が更に所定時間だけ継続されたことによりディスプレイ１３が消灯モードに移行したりすることにより、微灯モードが終了される。これらのためにディスプレイ１３の微灯モードが終了された場合（Ｓ２１３のＮｏ）、主制御部２０は、表示制御処理を終了する。
【００３５】
ディスプレイ１３の微灯モードが継続される場合（Ｓ２１３のＹｅｓ）は、主制御部２０は、ステップＳ２０５にて起動した間引きパターン切り替えタイマが終了したか否かを判断する（Ｓ２１５）。この際、主制御部２０は、タイマ部２７からタイマが終了したことを示す信号を受信したことに基づいて、間引きパターン切り替えタイマが終了したものと判断する。
【００３６】
間引きパターン切り替えタイマが終了していない場合（Ｓ２１５のＮｏ）は、ステップＳ２１３に戻って、主制御部２０は微灯モードが継続されるか否かを判断する。間引きパターン切り替えタイマが終了した場合（Ｓ２１５のＹｅｓ）は、主制御部２０は間引きパターン切り替えタイマを再起動する（Ｓ２１７）。すなわち、主制御部２０は、再びタイマを開始するための信号をタイマ部２７に送信する。そして、ステップＳ２０７に戻って、主制御部２０は、再びディスプレイ１３の間引きパターンを切り替える。
【００３７】
このようにして携帯電話機１は、ディスプレイ１３として有機ＥＬディスプレイを備えているとともに、無操作によりタイムアウトしてディスプレイ１３が微灯モードに設定されたときに、ディスプレイ１３に特定画素を間引いた表示画面を表示する。携帯電話機１は、そのときの間引きパターンを、一定時間毎に切り替えることにより、ディスプレイ１３の各画素の点灯時間を均等に保つ。
【００３８】
なお、ディスプレイ１３の特定画素を間引くのは、微灯モードの時に限定されず、高精細の表示が必要とないシーンをあらかじめ定義しておき、このシーンにおいて間引くようにしてもよい。その際、画面の一部に間引き処理を行ってもよい。例えば、携帯電話機１でＴＶや動画の視聴を行っている最中にはディスプレイ１３は微灯モードに移行しないが、ユーザは映像部分を注視しているので、映像部分以外のその他の部分（情報表示部分、スキン部分）は一定時間経過毎に間引き処理を行ってもよいと考えられる。
【００３９】
また、表示される文字の文字サイズに応じて、所定サイズよりも文字サイズが大きい場合に間引きを行うようにしてもよい。すなわち、文字サイズが小さい場合は間引き処理によって文字が認識できなくなる恐れがあるため、文字サイズの閾値を設定し、あるサイズ以上に場合にのみ間引き処理を行うようにしても良い。
【００４０】
第１実施形態によると、ディスプレイ１３として有機ＥＬディスプレイを備え、この有機ＥＬディスプレイの各素子の点灯時間を均等にすることにより、消費電力を抑制しつつ、この有機ＥＬディスプレイにおける特定素子の劣化を防止し、かつ、表示の自由度を向上させることが可能となる。
【００４１】
また、第１実施形態によると、ディスプレイ１３が微灯モードに設定されるタイミングで、このディスプレイ１３を間引きモードに設定することにより、ディスプレイ１３が間引きモードに設定されたときに、ユーザが違和感なく操作することが可能となる。
【００４２】
〔第２実施形態〕
本発明に係る携帯電話機の第２実施形態について、図１１乃至図１３を参照しながら説明する。なお、第１実施形態と同一の構成には同一の符号を付し、重複する説明を省略する。第２実施形態の携帯電話機１Ａは、図１及び図２に示すように、第１実施形態の携帯電話機１と同一の構成を備えている。また第２実施形態の携帯電話機１Ａは、図３に示すように、第１実施形態の携帯電話機１と同様に、主制御部２０、電源回路部２１、操作入力制御部２２、表示制御部２３、音声制御部２４、通信制御部２５、記憶部２６、及びタイマ部２７がバスによって相互に通信可能に接続されて構成されている。
【００４３】
携帯電話機１Ａのディスプレイ１３として有機ＥＬディスプレイを使用した場合、有機ＥＬディスプレイには焼き付けによる駆動寿命があるため、ディスプレイ１３の劣化を防ぐような工夫をする必要がある。特に、携帯電話機１Ａにおいて、電波の受信感度や電池残量を示すアイコン等が常時表示されている表示領域があり、高輝度に発光する素子が固定化してしまうため、この表示領域は他領域と比べて輝度劣化が進み易い。
【００４４】
そこで携帯電話機１Ａでは、同じ画像を表示領域をずらして表示したり、同じ画像を輝度を反転させて表示したりすることにより、同じ素子が長時間点灯することを防止し、各素子の発光時間を分散する。
【００４５】
例えば図１１（Ａ）に電波の受信感度を示すアイコンを示す。このアイコンをディスプレイ１３に表示する際、図１１（Ｂ）に示すように、同じ画像を表示領域をずらして表示することで、特定の素子が長時間点灯することを防止し、各素子の発光時間を分散することができる。
【００４６】
また、図１２（Ａ）に携帯電話機１の電池残量を示すアイコンを示す。このアイコンをディスプレイ１３に表示する際、図１２（Ｂ）に示すように、同じ画像を輝度を反転させて表示することにより、特定の素子が長時間点灯することを防止し、各素子の発光時間を分散することができる。
【００４７】
しかし、携帯電話機１Ａにおいて、上述したようにディスプレイ１３の表示画像を変化させると、ユーザに対して大きな違和感を与えてしまう。そこで、素子発光の累計時間に限界値を設け、これを基に、素子がこの限界値より長く発光した場合には、次の微灯モードおよび消灯モードへの切替時に、アイコンの表示領域をずらしたりアイコンの輝度を反転させる等の輝度劣化軽減処理を実行する。また、これと同時に素子発光の累計時間をリセットする。これにより素子発光の累計時間がリセットされ、輝度劣化軽減処理の結果、新たに発光した素子においても、限界値に定められた時間分発光することとなる。これを繰り返すことにより、輝度劣化を分散でき、ユーザに違和感を与えることなく処理を実行できる。
【００４８】
第２実施形態の携帯電話機１Ａが、ディスプレイ１３が微灯モードに設定されている間、ディスプレイ１３の劣化を軽減する表示制御処理を行う手順について、図１３に示すフローチャートに基づいて説明する。なお、携帯電話機１Ａにおいてディスプレイ１３の発光限界を示すタイマが起動されているものとする（Ｓ３０１）。携帯電話機１Ａでは、ディスプレイ１３が微灯モードに設定されている間、この発光限界のタイマに基づいて、ディスプレイ１３の劣化を軽減するための処理を行う。
【００４９】
携帯電話機１は、ディスプレイ１３の全灯モードにおいて、ユーザが所定時間（例えば１０秒）操作を行わないと、微灯モードにタイムアウトするように設計されている。主制御部２０は、無操作により微灯モードにタイムアウトしたか否かを判断する（Ｓ３０３）。この際、タイマ部２７よりタイマが終了したことを示す信号を受信することにより、タイムアウトしたものと判断される。無操作により微灯モードにタイムアウトしていない場合（Ｓ３０３のＮｏ）は、主制御部２０はそのまま待機する。
【００５０】
無操作によりタイムアウトした場合（Ｓ３０３のＹｅｓ）は、主制御部２０は、ステップＳ３０１にて起動されているタイマが発光限界値を超えたか否かを判断する（Ｓ３０５）。タイマが発光限界値を超えていた場合（Ｓ３０５のＹｅｓ）は、主制御部２０は、ディスプレイ１３を微灯モードに設定するとともに、劣化軽減処理を行い、ステップＳ３０１にて起動されているタイマを一旦リセットして再び起動する（Ｓ３０７）。
【００５１】
劣化軽減処理とは、表示領域を変更することにより点灯させる素子を変更したり、輝度を反転させることにより点灯させる素子と消灯させる素子を変更したりすることにより、各素子の発光時間を分散し、ディスプレイ１３の駆動劣化を軽減させる処理であり、例えば電波状態を示すアイコンが図１１（Ａ）に示す状態で表示されていた場合には、図１１（Ｂ）に示すように表示領域を移動させ、例えば電池残量が図１２（Ａ）に示すような状態で表示されていた場合には、図１２（Ｂ）に示すように輝度を反転させる。
【００５２】
タイマが発光限界値を超えていなかった場合（Ｓ３０５のＮｏ）は、主制御部２０は、ディスプレイ１３を微灯モードに設定する（Ｓ３０９）。
【００５３】
主制御部２０は、ディスプレイ１３の微灯モードが継続されるか否かを判断する（Ｓ３１１）。ディスプレイ１３の微灯モードは、例えばユーザが携帯電話機１の操作を行って全灯モードに移行したり、ディスプレイ１３が微灯モードになってからユーザが携帯電話機１を操作しない状態が更に所定時間だけ継続されたことによりディスプレイ１３が消灯モードに移行したりすることにより、微灯モードが終了される。これらのためにディスプレイ１３の微灯モードが終了された場合（Ｓ３１１のＮｏ）は、ステップＳ３０３に戻って、主制御部２０は、再び無操作により微灯モードにタイムアウトしたか否かを判断する。
【００５４】
ディスプレイ１３の微灯モードが継続される場合（Ｓ３１１のＹｅｓ）は、主制御部２０は、無操作により消灯モードにタイムアウトしたか否かを判断する（Ｓ３１３）。この際、主制御部２０は、タイマ部２７からタイマが終了したことを示す信号を受信したことに基づいて、タイマが終了したものと判断する。携帯電話機１は、ディスプレイ１３の微灯モードにおいて、ユーザが所定時間（例えば１０秒）操作を行わないと、消灯モードにタイムアウトするように設計されている。
【００５５】
無操作により消灯モードにタイムアウトしていない場合（Ｓ３１３のＮｏ）は、ステップＳ３１１に戻って、主制御部２０は微灯モードが継続されるか否かを判断する。無操作により消灯モードにタイムアウトした場合（Ｓ３１３のＹｅｓ）は、主制御部２０は、ステップＳ３０１またはＳ３０７にて起動された発光限界のタイマが発光限界値を超えたか否かを判断する（Ｓ３１５）。この判断は、ステップＳ３０５と同様の手順で行われる。
【００５６】
タイマが発光限界値を超えていた場合（Ｓ３１５のＹｅｓ）は、主制御部２０は、ディスプレイ１３を消灯モードに設定するとともに、ステップＳ３０７と同様に劣化軽減処理を行い、ステップＳ３０１またはＳ３０７にて起動されているタイマを一旦リセットして再び起動する（Ｓ３１７）。
【００５７】
タイマが発光限界値を超えていなかった場合（Ｓ３１５のＮｏ）は、主制御部２０は、ディスプレイ１３を消灯モードに設定する（Ｓ３１９）。そして主制御部２０は、消灯モードが継続されるか否かを判断する（Ｓ３２１）。ディスプレイ１３の消灯モードは、例えばユーザが携帯電話機１の操作を行って全灯モードに移行することにより終了される。
【００５８】
消灯モードが継続される場合（Ｓ３２１のＹｅｓ）は、主制御部２０はディスプレイ１３の劣化を軽減するための表示制御処理を終了する。消灯モードが継続されない場合（Ｓ３２１のＮｏ）、すなわちディスプレイ１３が全灯モードに移行した場合は、ステップＳ３０３に戻って、再びディスプレイ１３が無操作により微灯モードにタイムアウトしたか否かを判断する。
【００５９】
このようにして携帯電話機１は、ディスプレイ１３として有機ＥＬディスプレイを備えるとともに、ディスプレイ１３が全灯モードから微灯モードに、または微灯モードから消灯モードに移行する際に、アイコン等の常時表示されている表示内容について、表示領域を移動させて表示させたり輝度を反転させて表示させたりすることにより、ディスプレイ１３の各素子間の輝度劣化を分散させて、ディスプレイ１３の特定画素のみが劣化してしまうことを防止する。
【００６０】
また、輝度劣化軽減処理を全灯モードから微灯モードに、または微灯モードから消灯モードに切り替える時に行うことにより、ユーザに違和感を感じさせることなく、輝度劣化軽減処理を行うことができる。
【００６１】
第２実施形態によると、ディスプレイ１３として有機ＥＬディスプレイを備え、この有機ＥＬディスプレイの各素子の点灯時間を均等にすることにより、消費電力を抑制しつつ、この有機ＥＬディスプレイにおける特定素子の劣化を防止し、かつ、表示の自由度を向上させることが可能となる。
【００６２】
また、第２実施形態によると、ディスプレイ１３が微灯モードまたは消灯モードに設定されるタイミングで、このディスプレイ１３を表示モードを切り替えることにより、ディスプレイ１３の表示モードが切り替えられたときに、ユーザが違和感なく操作することが可能となる。
【００６３】
本発明の説明として、携帯電話機１、１Ａについて説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、携帯オーディオ機器、携帯ビデオ機器等、ディスプレイを備えた電子機器であれば、任意の電子機器であって良い。
【図面の簡単な説明】
【００６４】
【図１】（Ａ）は、本発明に係る携帯電話機の開いた状態を示す正面図、（Ｂ）は、本発明に係る携帯電話機の開いた状態を示す側面図。
【図２】（Ａ）は、本発明に係る携帯電話機の閉じた状態を示す正面図、（Ｂ）は、本発明に係る携帯電話機の閉じた状態を示す側面図。
【図３】本発明に係る携帯電話機の機能ブロック図。
【図４】ディスプレイに表示される通常の表示画面を示す画面図。
【図５】ディスプレイにおいて格子状の間引き処理を行った際の表示画面の画面図。
【図６】ディスプレイにおいて横ライン状の間引き処理を行った際の表示画面の画面図。
【図７】ディスプレイにおいて縦ライン状の間引き処理を行った際の表示画面の画面図。
【図８】第１実施形態の携帯電話機において表示制御処理を行う際の手順を示すフローチャート。
【図９】（Ａ）は、ディスプレイにおいてパターン１の間引き処理を行った際の表示画面の画面図、（Ｂ）は、ディスプレイにおいてパターン２の間引き処理を行った際の表示画面の画面図。
【図１０】第１実施形態の携帯電話機において表示制御処理を行う際の手順を示すフローチャート。
【図１１】（Ａ）は、ディスプレイにおいて電波状態を示すアイコンを表示した際の画面図、（Ｂ）は、ディスプレイにおいて電波状態を示すアイコンを表示領域をずらして表示した際の画面図。
【図１２】（Ａ）は、ディスプレイにおいて電池残量を示すアイコンを表示した際の画面図、（Ｂ）は、ディスプレイにおいて電池残量を示すアイコンを輝度を反転させて表示した際の画面図。
【図１３】第２実施形態の携帯電話機において表示制御処理を行う際の手順を示すフローチャート。
【符号の説明】
【００６５】
１…携帯電話機，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２５ａ…アンテナ，２６…記憶部，２７…タイマ部，３０…表示画面，４０、４１…アイコン。
【図１】
0005211793.tif 000002
【図２】
0005211793.tif 000003
【図３】
0005211793.tif 000004
【図４】
0005211793.tif 000005
【図５】
0005211793.tif 000006
【図６】
0005211793.tif 000007
【図７】
0005211793.tif 000008
【図８】
0005211793.tif 000009
【図９】
0005211793.tif 000010
【図１０】
0005211793.tif 000011
【図１１】
0005211793.tif 000012
【図１２】
0005211793.tif 000013
【図１３】
0005211793.tif 000014